(57)【要約】  着信者が発信者に対して知らせたい情報を発信者の呼出中に伝えると共に、発信者がその情報を取得したことを通知する。通信ネットワークを介して電話通信を行なう通信端末装置であって、送話器を介して音声を入力すると共に受話器から音声を出力する通話部１４４と、ユーザの操作を受け付ける入力部１１０と、画像を表示する表示部１４０と、前記入力部１１０から入力された発信先電話番号に基づいて、前記通信ネットワーク上に設けられたサーバ３００との間で通信を確立する通信部１２０と、サーバ３００との間で通信が確立された後、通信部１２０がサーバ３００から発信先電話番号に対応するマルチメディアデータを取得した場合、ユーザに対してマルチメディアデータの取得を通知する通知部１３０と、を備える。
2016135981.tif 000002
【特許請求の範囲】
【請求項１】
通信ネットワークを介して電話通信を行なう通信端末装置であって、
送話器を介して音声を入力すると共に受話器から音声を出力する通話部と、
ユーザの操作を受け付ける入力部と、
画像を表示する表示部と、
前記入力部から入力された発信先電話番号に基づいて、前記通信ネットワーク上に設けられたサーバ装置との間で通信を確立する通信部と、
前記サーバ装置との間で通信が確立された後、前記通信部が前記サーバ装置から発信先電話番号に対応するマルチメディアデータを取得した場合、ユーザに対してマルチメディアデータの取得を通知する通知部と、を備えることを特徴とする通信端末装置。
【請求項２】
自装置の筐体を振動させるバイブレータを更に備え、
前記通知部は、前記通信部がマルチメディアデータを取得した場合、前記バイブレータを機能させることを特徴とする請求項１記載の通信端末装置。
【請求項３】
前記通知部は、前記通信部がマルチメディアデータを取得した場合、前記受話器からマルチメディアデータを取得したことを示す音声を出力することを特徴とする請求項１または請求項２記載の通信端末装置。
【請求項４】
前記通知部は、前記通信部がマルチメディアデータを取得した場合、マルチメディアデータを取得したことを示す画像を前記表示部に表示することを特徴とする請求項１から請求項３のいずれかに記載の通信端末装置。
【請求項５】
音声を出力する外部スピーカを更に備え、
前記通知部は、前記通信部がマルチメディアデータを取得した場合、前記外部スピーカからマルチメディアデータを取得したことを示す音声を出力することを特徴とする請求項１から請求項４のいずれかに記載の通信端末装置。
【請求項６】
前記通信部がマルチメディアデータを取得した場合、自装置の近接センサが反応しているか否かを判定する通話判定部と、
前記判定結果に応じて、前記マルチメディアデータの再生または停止を行なう再生部と、を更に備えることを特徴とする請求項１から請求項５のいずれかに記載の通信端末装置。
【請求項７】
前記通信部が、前記サーバ装置からマルチメディアデータを取得した場合、前記表示部は、前記取得したマルチメディアデータに含まれる画像を表示し、または、前記通話部は、前記取得したマルチメディアデータに含まれる音声を前記受話器から出力することを特徴とする請求項１から請求項６のいずれかに記載の通信端末装置。
【請求項８】
自装置のバッテリ残量を監視すると共に、前記通話部および前記表示部の動作を制御する制御部を更に備え、
前記制御部は、前記通信部が前記サーバ装置からマルチメディアデータを取得した場合、自装置のバッテリ残量に応じて、前記取得したマルチメディアデータに含まれる画像を表示するか否かを決定し、または、前記取得したマルチメディアデータに含まれる音声を出力するか否かを決定することを特徴とする請求項７記載の通信端末装置。
【請求項９】
通信ネットワーク上に設けられたサーバ装置を介して通信端末装置が電話通信を行なう通信システムであって、
前記通信端末装置は、
送話器を介して音声を入力すると共に受話器から音声を出力する通話部と、
ユーザの操作を受け付ける入力部と、
画像を表示する表示部と、
前記入力部から発信先電話番号に基づいて、前記サーバ装置との間で通信を確立する通信部と、
前記サーバ装置との間で通信が確立された後、前記通信部が前記サーバ装置から発信先電話番号に対応するマルチメディアデータを取得した場合、ユーザに対してマルチメディアデータの取得を通知する通知部と、を備え、
前記サーバ装置は、前記通信端末装置から発信先電話番号を伴って通信を確立する旨の要求を受けた場合、予め発信先電話番号のユーザから登録され発信先電話番号に対応するマルチメディアデータを前記通信端末装置に送信することを特徴とする通信システム。
【請求項１０】
前記サーバ装置は、通信トラフィックを監視し、監視中の通信トラフィックが一定の閾値を上回る場合は、前記マルチメディアデータの送信を停止することを特徴とする請求項７記載の通信システム。
【発明の詳細な説明】
【技術分野】
【０００１】
本発明は、通信ネットワークを介して電話通信を行なう通信端末装置および通信システムに関する。
【背景技術】
【０００２】
従来、通信事業者が提供する電話網上に設備され、リングバックトーン（発信側の電話端末の受話器から聞く呼出音）の音源を利用者の好みのメロディ等に変更できるシステムが知られている。例えば、特許文献１記載のリングバックトーン音源変更システムは、音源記憶装置にリングバックトーン音源コンテンツを利用者ごとに登録し、利用者の電話端末から電話発信が行なわれた場合に、相手の呼出中に、登録されたリングバックトーン音源コンテンツをリングバックトーンとして利用者の電話端末に送信している。これにより、発信者に対して、リングバックトーンの代わりに音声のコンテンツを聞かせることができる。【０００３】
また、上記技術の応用として、電話の発信後に発信先の電話番号に対応するウェブページ画像を表示する技術も知られている。例えば、特許文献２記載の電話通信システムは、携帯電話端末から特定の電話番号を発信先として電話をかけた場合に、その発信先電話番号に対応するウェブページ画像が発信元の携帯電話端末の表示部に自動的に表示される。例えば、ある書店へ電話をかけた場合、その書店に関する住所や営業時間を示すウェブページ画像が携帯電話端末に表示される。
【先行技術文献】
【特許文献】
【０００４】
【特許文献１】特開２００４−０８８４５２号公報
【特許文献２】特許第４７５０４９３号公報
【発明の概要】
【発明が解決しようとする課題】
【０００５】
しかしながら、発信者に対してリングバックトーンの代わりとなる音声のコンテンツや、画像のコンテンツを送信しても、発信者が気付かない場合がある。従来の技術では、発信者がコンテンツの取得に気付かなかった場合には何ら効果を奏しない。【０００６】
本発明は、このような事情に鑑みてなされたものであり、着信者が発信者に対して知らせたい情報を発信者の呼出中に伝えると共に、発信者がその情報を取得したことを通知することができる通信端末装置および通信システムを提供することを目的とする。
【課題を解決するための手段】
【０００７】
（１）上記の目的を達成するために、本発明は、以下のような手段を講じた。すなわち、本発明の通信端末装置は、通信ネットワークを介して電話通信を行なう通信端末装置であって、送話器を介して音声を入力すると共に受話器から音声を出力する通話部と、ユーザの操作を受け付ける入力部と、画像を表示する表示部と、前記入力部から入力された発信先電話番号に基づいて、前記通信ネットワーク上に設けられたサーバ装置との間で通信を確立する通信部と、前記サーバ装置との間で通信が確立された後、前記通信部が前記サーバ装置から発信先電話番号に対応するマルチメディアデータを取得した場合、ユーザに対してマルチメディアデータの取得を通知する通知部と、を備えることを特徴とする。【０００８】
このように、入力部から入力された発信先電話番号に基づいて、通信ネットワーク上に設けられたサーバ装置との間で通信を確立し、サーバ装置との間で通信が確立された後、通信部がサーバ装置から発信先電話番号に対応するマルチメディアデータを取得した場合、ユーザに対してマルチメディアデータの取得を通知するので、ユーザに対してマルチメディアデータの取得を気付かせることが可能となる。これにより、ユーザに対し、リングバックトーンに代えて、マルチメディアデータを視聴させることが可能となる。【０００９】
（２）また、本発明の通信端末装置は、自装置の筐体を振動させるバイブレータを更に備え、前記通知部は、前記通信部がマルチメディアデータを取得した場合、前記バイブレータを機能させることを特徴とする。【００１０】
このように、通信部がマルチメディアデータを取得した場合、バイブレータを機能させるので、ユーザに対し、触覚的にマルチメディアデータの取得を認識させることが可能となる。【００１１】
（３）また、本発明の通信端末装置において、前記通知部は、前記通信部がマルチメディアデータを取得した場合、前記受話器からマルチメディアデータを取得したことを示す音声を出力することを特徴とする。【００１２】
このように、通信部がマルチメディアデータを取得した場合、受話器からマルチメディアデータを取得したことを示す音声を出力するので、ユーザに対し、聴覚的にマルチメディアデータの取得を認識させることが可能となる。【００１３】
（４）また、本発明の通信端末装置において、前記通知部は、前記通信部がマルチメディアデータを取得した場合、マルチメディアデータを取得したことを示す画像を前記表示部に表示することを特徴とする。【００１４】
このように、通信部がマルチメディアデータを取得した場合、マルチメディアデータを取得したことを示す画像を表示部に表示するので、ユーザに対し、視覚的にマルチメディアデータの取得を認識させることが可能となる。【００１５】
（５）また、本発明の通信端末装置は、音声を出力する外部スピーカを更に備え、前記通知部は、前記通信部がマルチメディアデータを取得した場合、前記外部スピーカからマルチメディアデータを取得したことを示す音声を出力することを特徴とする。【００１６】
このように、通信部がマルチメディアデータを取得した場合、外部スピーカからマルチメディアデータを取得したことを示す音声を出力するので、ユーザに対し、聴覚的にマルチメディアデータの取得を認識させることが可能となる。特に、ユーザが受話器を耳に当てていない場合であっても、外部スピーカから音声が出力されるので、聴覚的な通知が可能となる。【００１７】
（６）また、本発明の通信端末装置は、前記通信部がマルチメディアデータを取得した場合、自装置の近接センサが反応しているか否かを判定する通話判定部と、前記判定結果に応じて、前記マルチメディアデータの再生または停止を行なう再生部と、を更に備えることを特徴とする。【００１８】
このように、自装置の近接センサが反応しているか否かを判定し、判定結果に応じて、マルチメディアデータの再生または停止を行なうので、近接センサが反応している場合はマルチメディアデータを再生することによって、ユーザに音声を聞かせることができる一方、近接センサが反応していない場合はマルチメディアデータを停止することによって、ユーザに聞かれることのない音声の再生を回避することができる。また、近接センサが反応していない場合は、マルチメディアデータを再生することによって、ユーザに映像を見せることができる一方、近接センサが反応している場合は、マルチメディアデータを停止することによって、ユーザに見られることのない映像の再生を回避することができる。【００１９】
（７）また、本発明の通信端末装置は、前記通信部が、前記サーバ装置からマルチメディアデータを取得した場合、前記表示部は、前記取得したマルチメディアデータに含まれる画像を表示し、または、前記通話部は、前記取得したマルチメディアデータに含まれる音声を前記受話器から出力することを特徴とする。【００２０】
このように、サーバ装置からマルチメディアデータを取得した場合、表示部は、取得したマルチメディアデータに含まれる画像を表示し、または、通話部は、取得したマルチメディアデータに含まれる音声を受話器から出力するので、ユーザに対して、いわゆるリングバックトーンの代わりに、マルチメディアデータの視聴をさせることが可能となる。【００２１】
（８）また、本発明の通信端末装置は、自装置のバッテリ残量を監視すると共に、前記通話部および前記表示部の動作を制御する制御部を更に備え、前記制御部は、前記通信部が前記サーバ装置からマルチメディアデータを取得した場合、自装置のバッテリ残量に応じて、前記取得したマルチメディアデータに含まれる画像を表示するか否かを決定し、または、前記取得したマルチメディアデータに含まれる音声を出力するか否かを決定することを特徴とする。【００２２】
このように、通信部がサーバ装置からマルチメディアデータを取得した場合、自装置のバッテリ残量に応じて、表示部において取得したマルチメディアデータに含まれる画像を表示するか否かを決定し、または、通話部において取得したマルチメディアデータに含まれる音声を出力するか否かを決定するので、バッテリ残量が少ない場合には、画像の表示や音声の出力を停止することができ、バッテリの節約を図ることが可能となる。【００２３】
（９）また、本発明の通信システムは、通信ネットワーク上に設けられたサーバ装置を介して通信端末装置が電話通信を行なう通信システムであって、前記通信端末装置は、送話器を介して音声を入力すると共に受話器から音声を出力する通話部と、ユーザの操作を受け付ける入力部と、画像を表示する表示部と、前記入力部から発信先電話番号に基づいて、前記サーバ装置との間で通信を確立する通信部と、前記サーバ装置との間で通信が確立された後、前記通信部が前記サーバ装置から発信先電話番号に対応するマルチメディアデータを取得した場合、ユーザに対してマルチメディアデータの取得を通知する通知部と、を備え、前記サーバ装置は、前記通信端末装置から発信先電話番号を伴って通信を確立する旨の要求を受けた場合、予め発信先電話番号のユーザから登録され発信先電話番号に対応するマルチメディアデータを前記通信端末装置に送信することを特徴とする。【００２４】
このように、入力部から入力された発信先電話番号に基づいて、通信ネットワーク上に設けられたサーバ装置との間で通信を確立し、サーバ装置との間で通信が確立された後、通信部がサーバ装置から発信先電話番号に対応するマルチメディアデータを取得した場合、ユーザに対してマルチメディアデータの取得を通知するので、ユーザに対してマルチメディアデータの取得を気付かせることが可能となる。これにより、ユーザにマルチメディアデータを確実に視聴させることが可能となる。【００２５】
（１０）また、本発明の通信システムにおいて、前記サーバ装置は、通信トラフィックを監視し、監視中の通信トラフィックが一定の閾値を上回る場合は、前記マルチメディアデータの送信を停止することを特徴とする。【００２６】
このように、監視中の通信トラフィックが一定の閾値を上回る場合は、マルチメディアデータの送信を停止するので、通信トラフィックの増加を回避することが可能となる。
【発明の効果】
【００２７】
本発明によれば、ユーザに対してマルチメディアデータの取得を気付かせることが可能となる。これにより、ユーザに対し、リングバックトーンに代えて、マルチメディアデータを視聴させることが可能となる。
【図面の簡単な説明】
【００２８】
【図１】本実施形態に係る通信システムの概略構成を示す図である。
【図２】通信端末装置としての発信者端末の概略構成を示すブロック図である。
【図３】本実施形態に係る通信システムの動作を示すシーケンスチャートである。
【発明を実施するための形態】
【００２９】
以下に、本発明の実施形態について図面を参照しながら説明する。
【００３０】
［通信システムの構成］
図１は、本実施形態に係る通信システムの概略構成を示す図である。この通信システム１０は、通信端末装置としての発信者端末１００および着信者端末２００、並びにサーバ３００から構成されている。発信者端末１００、着信者端末２００は、通信ネットワークを介した電話通信およびマルチメディアデータの再生を可能にする通信端末装置であり、例えば携帯電話機、タブレット端末、ヘッドセット付きのＰＣ等である。サーバ３００は、発信者端末１００と着信者端末２００との間で通信を確立し、呼出中、および通話中に発信者端末１００、着信者端末２００間を接続する。通信ネットワークには、インターネット、移動体通信網、公衆交換電話網、無線ＬＡＮが含まれる。この通信システム１０では、着信者端末２００に発信した発信者端末１００に対して、リングバックトーンの代わりにマルチメディアデータを提供する。
【００３１】
発信者端末１００に提供するマルチメディアデータは、着信者端末２００のユーザが選択することが可能であり、発信者のＩＤに関連付けて着信者端末２００からサーバ３００に登録することが可能である。ＩＤとしては、例えば発信者端末１００の電話番号、ＩＰ電話のアカウントや、ＳＮＳ（ソーシャルネットワーキングサービス）のアカウント等が挙げられる。マルチメディアデータには、映像（静止画、動画、テキスト）、音声（楽曲、自然音、声）等のデータが含まれる。マルチメディアデータには、マルチメディアデータの内容や状態を表すテキスト情報等の付帯情報が付いていても良い。サーバ３００に登録するマルチメディアデータを、発信者別としたり、発信者をグループに分けた場合にはそのグループ別としたり、また、発信者の年齢別、性別、職業別としたり、さらには、発信時間帯別としたりすることができる。なお、マルチメディアデータの登録は、通信できれば良いため、携帯電話機だけでなく通話機能のないＰＣ等からも可能である。
【００３２】
図１に示すように、発信者端末１００が、着信者端末２００に対して呼び出しを行なうと、サーバ３００を介して、着信者端末２００に呼び出しが行なわれる。その間、発信者端末１００にはマルチメディアデータが送信され、発信者端末１００において、そのマルチメディアデータが再生される。本実施形態では、発信者端末１００でマルチメディアデータが再生される場合に、ユーザにマルチメディアデータの再生を認識させるため、種々の方法で通知を行なう。なお、発信者端末１００は、発信者が設定した所定期間が経過したら、サーバ３００に対してマルチメディアデータの登録情報の削除を指示する信号を送信することもできる。その信号は、ＯＳＩ参照モデルのどのレイヤの信号（ＯＳＩ参照モデルのレイヤ１〜７のいずれの信号）であっても良い。
【００３３】
［通信端末装置の構成］
図２は、通信端末装置としての発信者端末１００の概略構成を示すブロック図である。入力部１１０は、ユーザの入力操作を受け付ける機能を有し、例えば、タッチパネルやキーボードなどで構成される。通信部１２０は、アンテナ１２０ａを介して無線信号を送信し、または受信する。また、通信部１２０は、入力部１１０から入力された発信先電話番号に基づいて、通信ネットワーク上に設けられたサーバ３００との間で通信を確立する。
【００３４】
通知部１３０は、サーバ３００との間で通信が確立された後、通信部１２０がサーバ３００から発信先電話番号に対応するマルチメディアデータを取得した場合、ユーザに対してマルチメディアデータの取得を通知する。通知部１３０が通知を実行する手段としては、例えば、後述する表示部１４０に映像を再生させて、視覚的に通知したり、バイブレータ１４３を振動させて、触覚的に通知したり、通話部１４４の受話器から音声を出力させ、または外部スピーカ１４５から音声を出力させて、聴覚的に通知したりすることができる。
【００３５】
表示部１４０は、画像を表示する機能を有し、例えば、液晶ディスプレイで構成することができる。バイブレータ１４３は、通知部１３０からの指示に基づいて、自装置の筐体を振動させる。通話部１４４は、送話器および受話器を備え、ユーザの音声を電気信号に変換して出力する機能および受信した電気信号を音声に変換して出力する機能を有する。外部スピーカ１４５は、音声を出力する。外部スピーカ１４５は、受話器よりも大きな音を出力することができ、ユーザの耳から離れた場所からでもユーザに対して音声を認識させることが可能である。
【００３６】
条件判定部１５０は、予め定められた条件に基づいて、マルチメディアデータを再生すべきかどうかを判定する。例えば、予めユーザが広告の閲覧を拒否する旨の条件を設定した場合は、サーバ３００から取得したマルチメディアデータが広告を含むかどうかを判定し、判定した結果、マルチメディアデータが広告を含む場合は、再生を禁止するように制御することが可能である。また、条件判定部１５０は、いわゆる「レーティング（rating）」を設定し、マルチメディアデータが有害画像などを含む場合、これを排除するように構成しても良い。再生部１６０は、通信部１２０が取得したマルチメディアデータを再生する。また、再生部１６０は、後述する通話判定部１８０による判定結果に応じて、マルチメディアデータの再生または停止を行なう。
【００３７】
制御部１９０は、自装置のバッテリ（図示しない）の残量を監視すると共に、通話部１４４および表示部１４０の動作を制御し、また、その他の構成要素を制御する。制御部１９０は、通信部１２０がサーバ３００からマルチメディアデータを取得した場合、自装置のバッテリ残量に応じて、表示部１４０において、取得したマルチメディアデータに含まれる画像を表示するか否かを決定する。また、通話部１４４または外部スピーカ１４５において、取得したマルチメディアデータに含まれる音声を出力するか否かを決定する。
【００３８】
アドレス帳管理部１７０は、通信相手の氏名、電話番号、メールアドレスなどを記憶し、記憶した情報を表示部１４０に並び替えて表示する機能を有する。また、アドレス帳管理部１７０は、発信先電話番号に対応付けてマルチメディアデータが既に登録されている場合には、そのマルチメディアデータを新たに受信したマルチメディアデータに自動的に差し替えても良い。これにより、例えばアドレス帳に登録されたマルチメディアデータを更新し、最新のアドレス帳として利用することができる。なお、マルチメディアデータだけでなく、その付帯情報を用いて特定のリストを更新しても良い。記憶部１７５は、オペレーティングシステムや各種アプリケーションなどを記憶したり、サーバ３００から取得したマルチメディアデータを記憶したりすることができる。通話判定部１８０は、通信部１２０がマルチメディアデータを取得した場合、自装置の近接センサ（図示しない）が反応しているか否かを判定する。なお、説明の都合上、本発明の特徴的な機能を構成要素に分けて示したが、これは、本発明がハードウェアに限定されることを意味するものではない。本発明は、ハードウェアのみならず、ソフトウェアあるいはこれらの組み合わせで実現することも可能である。
【００３９】
［通信システムの動作］
次に、以上のように構成された本実施形態に係る通信システムの動作について説明する。図３は、本実施形態に係る通信システムの動作を示すシーケンスチャートである。この動作の前提として、着信者端末２００は、自装置宛ての発信をした発信者端末に対して、リングバックトーンの代わりとするマルチメディアデータをサーバ３００に登録する。次に、発信者端末１００が、着信者端末２００に対して、呼び出し（発呼）を行なうと（ステップＳ１０１）、サーバ３００はその呼び出しを認識し、リングバックトーンの代わりとするマルチメディアデータの抽出を行なう（ステップＳ１０２）。次に、サーバ３００は、抽出したマルチメディアデータを、発信者端末１００に送信する（ステップＳ１０３）。
【００４０】
発信者端末１００がサーバ３００からマルチメディアデータを取得すると、発信者端末１００は、ユーザにマルチメディアデータの取得を認識させるための通知を行なう（ステップＳ１０４）。この通知は、具体的には、バイブレータ１４３での振動の発生、通話部１４４の受話器からマルチメディアデータを取得したことを示す音声の出力、表示部１４０でのマルチメディアデータを取得したことを示す画像の表示、外部スピーカ１４５からマルチメディアデータを取得したことを示す音声の出力のいずれかまたはすべてで行なう。
【００４１】
次に、マルチメディアデータの再生を行なう（ステップＳ１０５）。ここで、自装置の近接センサが反応しているか否かを判定し、判定結果に応じて、マルチメディアデータの再生または停止を行なうことも可能である。すなわち、近接センサが反応している場合はマルチメディアデータを再生することによって、ユーザに音声を聞かせることができる一方、近接センサが反応していない場合はマルチメディアデータを停止することによって、ユーザに聞かれることのない音声の再生を回避することができる。また、近接センサが反応していない場合は、マルチメディアデータを再生することによって、ユーザに映像を見せることができる一方、近接センサが反応している場合は、マルチメディアデータを停止することによって、ユーザに見られることのない映像の再生を回避することができる。さらに、自装置のバッテリ残量が少ない場合は、取得したマルチメディアデータに含まれる画像を表示しない制御をし、また、取得したマルチメディアデータに含まれる音声を出力しない制御をしても良い。
【００４２】
次に、着信者端末２００が受話として、呼び出しに応答すると（ステップＳ１０６）、マルチメディアデータの再生を停止し（ステップＳ１０７）、通話開始となる（ステップＳ１０８）。
【００４３】
以上説明したように、本実施形態によれば、ユーザに対してマルチメディアデータの取得を気付かせることが可能となる。これにより、ユーザに対し、リングバックトーンに代えて、マルチメディアデータを視聴させることが可能となる。
【符号の説明】
【００４４】
１０  通信システム
１００  発信者端末（通信端末装置）
１１０  入力部
１２０  通信部
１２０ａ  アンテナ
１３０  通知部
１４０  表示部
１４３  バイブレータ
１４４  通話部
１４５  外部スピーカ
１５０  条件判定部
１６０  再生部
１７０  アドレス帳管理部
１７５  記憶部
１８０  通話判定部
１９０  制御部
２００  着信者端末（通信端末装置）
３００  サーバ（サーバ装置）
【図１】
2016135981.tif 000003
【図２】
2016135981.tif 000004
【図３】
2016135981.tif 000005
【国際調査報告】
2016135981.tif 000006
2016135981.tif 000007
2016135981.tif 000008
2016135981.tif 000009